(57)【要約】  本発明の実施形態は、参照信号を受信するためおよび送るための方法および装置、ユーザ機器、ならびに基地局に関する。参照信号を受信するための方法は、参照信号のリソース構成情報を受信するステップであって、参照信号のリソース構成情報が、アンテナポート構成および参照信号サブフレーム構成に関する情報を含み、アンテナポート構成が、アンテナポート構造を指示し、参照信号サブフレーム構成が、1つまたは複数のアンテナポートグループ上で参照信号を送るための参照信号サブフレームを指示する、受信するステップと、参照信号のリソース構成情報に従って参照信号を受信するステップとを含む。本発明の実施形態では、UEは、基地局から入手される参照信号に基づいてチャネルを測定し、信号品質またはチャネル状態情報をフィードバックし、その結果、通信システムは、アンテナアレイ構造およびより多くのアンテナポート数構成に適応することが可能であり、セル選択またはMCS選択およびスケジューリングのために使用され、これによってシステムスループットを向上させることがわかる。
2016515777.tif 000002
【特許請求の範囲】
【請求項１】
参照信号を受信するための方法であって、
参照信号のリソース構成情報を受信するステップであり、前記参照信号の前記リソース構成情報がアンテナポート構成および参照信号サブフレーム構成に関する情報を含み、前記アンテナポート構成がアンテナポート構造を指示し、前記参照信号サブフレーム構成が1つまたは複数のアンテナポートグループ上で前記参照信号を送るための参照信号サブフレームを指示し、各アンテナポートグループが連続したインデックスを有するn個のアンテナポートを備え、ここで、nがアンテナポート構造パラメータである、受信するステップと、
前記参照信号の前記リソース構成情報に従って前記参照信号を受信するステップと
を含む、方法。
【請求項２】
前記アンテナポート構成によって指示される情報が、前記アンテナポートの全数Nであり、ここで、Nがnの倍数であり、nが予め決められた正の整数である、請求項1に記載の方法。
【請求項３】
前記アンテナポート構成によって指示される情報が、アンテナポート構造パラメータmおよび前記アンテナポート構造パラメータnである、または
前記アンテナポート構成によって指示される情報が、アンテナポート構造パラメータmおよび前記アンテナポート構造パラメータnについて実行されるジョイントコーディングである、
請求項1に記載の方法。
【請求項４】
前記参照信号サブフレーム構成によって指示される情報が、サブフレーム期間およびサブフレームオフセットを含み、前記サブフレームオフセットが、前記サブフレーム期間において前記参照信号を送るための1つまたは複数のサブフレーム位置を指示する、請求項1から3のいずれか一項に記載の方法。
【請求項５】
前記参照信号サブフレーム間の間隔が、5、10、20、40、または80サブフレームの整数倍である、請求項1から4のいずれか一項に記載の方法。
【請求項６】
前記参照信号の前記リソース構成情報が、参照信号構成に関する情報をさらに含み、前記参照信号構成は、前記参照信号が参照信号サブフレーム期間内の各参照信号サブフレームにおいて送られるときに、各アンテナポートによって使用される物理リソースを指示する、請求項1から5のいずれか一項に記載の方法。
【請求項７】
前記参照信号構成が、アンテナポートによって使用される異なるリソース素子を指示し、前記アンテナポートが、連続したインデックスを有し、前記参照信号サブフレーム期間内の異なる参照信号サブフレームにおいて前記参照信号を送るために使用される、請求項6に記載の方法。
【請求項８】
参照信号を送るための方法であって、
ユーザ機器へ参照信号のリソース構成情報を送るステップであり、前記参照信号の前記リソース構成情報がアンテナポート構成および参照信号サブフレーム構成に関する情報を含み、前記アンテナポート構成がアンテナポート構造を指示し、前記参照信号サブフレーム構成が1つまたは複数のアンテナポートグループ上で前記参照信号を送るための参照信号サブフレームを指示し、各アンテナポートグループが連続したインデックスを有するn個のアンテナポートを備え、ここで、nがアンテナポート構造パラメータである、送るステップと、
前記参照信号の前記リソース構成情報に従って前記ユーザ機器へ前記参照信号を送るステップと
を含む、方法。
【請求項９】
前記アンテナポート構成によって指示される情報が、前記アンテナポートの全数Nであり、ここで、Nがnの倍数であり、nが予め決められた正の整数である、請求項8に記載の方法。
【請求項１０】
前記アンテナポート構成によって指示される情報が、アンテナポート構造パラメータmおよび前記アンテナポート構造パラメータnである、または
前記アンテナポート構成によって指示される情報が、アンテナポート構造パラメータmおよび前記アンテナポート構造パラメータnについて実行されるジョイントコーディングである、
請求項8に記載の方法。
【請求項１１】
前記参照信号サブフレーム構成によって指示される情報が、サブフレーム期間およびサブフレームオフセットを含み、前記サブフレームオフセットが、前記サブフレーム期間において前記参照信号によって使用される1つまたは複数のサブフレーム位置を指示する、請求項8から10のいずれか一項に記載の方法。
【請求項１２】
前記参照信号サブフレーム間の間隔が、5、10、20、40、または80サブフレームの整数倍である、請求項8から11のいずれか一項に記載の方法。
【請求項１３】
前記参照信号の前記リソース構成情報が、参照信号構成に関する情報をさらに含み、前記参照信号構成は、前記参照信号が参照信号サブフレーム期間内の各参照信号サブフレームにおいて送られるときに、各アンテナポートによって使用される物理リソースを指示する、請求項8から12のいずれか一項に記載の方法。
【請求項１４】
前記参照信号構成が、アンテナポートによって使用される異なるリソース素子を指示し、前記アンテナポートが、連続したインデックスを有し、前記参照信号サブフレーム期間内の異なる参照信号サブフレームにおいて前記参照信号を送るために使用される、請求項13に記載の方法。
【請求項１５】
参照信号を受信するための装置であって、
参照信号のリソース構成情報を受信するように構成された第1の受信側ユニットであり、前記参照信号の前記リソース構成情報がアンテナポート構成および参照信号サブフレーム構成に関する情報を含み、前記アンテナポート構成がアンテナポート構造を指示し、前記参照信号サブフレーム構成が1つまたは複数のアンテナポートグループ上で前記参照信号を送るための参照信号サブフレームを指示し、各アンテナポートグループが連続したインデックスを有するn個のアンテナポートを備え、ここで、nがアンテナポート構造パラメータである、第1の受信側ユニットと、
前記第1の受信側ユニットによって受信される前記参照信号の前記リソース構成情報に従って、基地局によって送られる前記参照信号を受信するように構成された第2の受信側ユニットと
を備える、装置。
【請求項１６】
前記アンテナポート構成によって指示される情報が、前記アンテナポートの全数Nであり、ここで、Nがnの倍数であり、nが予め決められた正の整数である、請求項15に記載の装置。
【請求項１７】
前記アンテナポート構成によって指示される情報が、アンテナポート構造パラメータmおよび前記アンテナポート構造パラメータnである、または
前記アンテナポート構成によって指示される情報が、アンテナポート構造パラメータmおよび前記アンテナポート構造パラメータnについて実行されるジョイントコーディングである、
請求項15に記載の装置。
【請求項１８】
前記参照信号サブフレーム構成によって指示される情報が、サブフレーム期間およびサブフレームオフセットを含み、前記サブフレームオフセットが、前記サブフレーム期間において前記参照信号によって使用される1つまたは複数のサブフレーム位置を指示する、請求項15から17のいずれか一項に記載の装置。
【請求項１９】
前記参照信号サブフレーム間の間隔が、5、10、20、40、または80サブフレームの整数倍である、請求項15から18のいずれか一項に記載の装置。
【請求項２０】
前記参照信号の前記リソース構成情報が、参照信号構成に関する情報をさらに含み、前記参照信号構成は、前記参照信号が参照信号サブフレーム期間内の各参照信号サブフレームにおいて送られるときに、各アンテナポートによって使用される物理リソースを指示する、請求項15から19のいずれか一項に記載の装置。
【請求項２１】
前記参照信号構成が、アンテナポートによって使用される異なるリソース素子を指示し、前記アンテナポートが、連続したインデックスを有し、前記参照信号サブフレーム期間内の異なる参照信号サブフレームにおいて前記参照信号を送るために使用される、請求項20に記載の装置。
【請求項２２】
参照信号を送るための装置であって、
ユーザ機器へ参照信号のリソース構成情報を送るように構成された第1の送信側ユニットであり、前記参照信号の前記リソース構成情報がアンテナポート構成および参照信号サブフレーム構成に関する情報を含み、前記アンテナポート構成がアンテナポート構造を指示し、前記参照信号サブフレーム構成が1つまたは複数のアンテナポートグループ上で前記参照信号を送るための参照信号サブフレームを指示し、各アンテナポートグループが連続したインデックスを有するn個のアンテナポートを備え、ここで、nがアンテナポート構造パラメータである、第1の送信側ユニットと、
前記第1の送信側ユニットによって送られる前記参照信号の前記リソース構成情報に従って前記ユーザ機器へ前記参照信号を送るように構成された第2の送信側ユニットと
を備える、装置。
【請求項２３】
前記アンテナポート構成によって指示される情報が、前記アンテナポートの全数Nであり、ここで、Nがnの倍数であり、nが予め決められた正の整数である、請求項22に記載の装置。
【請求項２４】
前記アンテナポート構成によって指示される情報が、アンテナポート構造パラメータmおよび前記アンテナポート構造パラメータnである、または
前記アンテナポート構成によって指示される情報が、アンテナポート構造パラメータmおよび前記アンテナポート構造パラメータnについて実行されるジョイントコーディングである、
請求項22に記載の装置。
【請求項２５】
前記参照信号サブフレーム構成によって指示される情報が、サブフレーム期間およびサブフレームオフセットを含み、前記サブフレームオフセットが、前記サブフレーム期間において前記参照信号によって使用される1つまたは複数のサブフレーム位置を指示する、請求項22から24のいずれか一項に記載の装置。
【請求項２６】
前記参照信号サブフレーム間の間隔が、5、10、20、40、または80サブフレームの整数倍である、請求項22から25のいずれか一項に記載の装置。
【請求項２７】
前記参照信号の前記リソース構成情報が、参照信号構成に関する情報をさらに含み、前記参照信号構成は、前記参照信号が参照信号サブフレーム期間内の各参照信号サブフレームにおいて送られるときに、各アンテナポートによって使用される物理リソースを指示する、請求項22から26のいずれか一項に記載の装置。
【請求項２８】
前記参照信号構成が、アンテナポートによって使用される異なるリソース素子を指示し、前記アンテナポートが、連続したインデックスを有し、前記参照信号サブフレーム期間内の異なる参照信号サブフレームにおいて前記参照信号を送るために使用される、請求項27に記載の装置。
【請求項２９】
プロセッサと受信機と
を備え、
前記プロセッサが、参照信号のリソース構成情報を受信するように前記トランシーバを制御し、前記参照信号の前記リソース構成情報がアンテナポート構成および参照信号サブフレーム構成に関する情報を含み、前記アンテナポート構成がアンテナポート構造を指示し、前記参照信号サブフレーム構成が1つまたは複数のアンテナポートグループ上で前記参照信号を送るための参照信号サブフレームを指示し、各アンテナポートグループが連続したインデックスを有するn個のアンテナポートを備え、ここで、nがアンテナポート構造パラメータであり、
前記トランシーバが、前記参照信号の前記受信したリソース構成情報に従って、基地局によって送られる前記参照信号を受信するようにさらに構成される、
ユーザ機器。
【請求項３０】
参照信号のリソース構成情報を決定するように構成されたプロセッサであって、前記参照信号の前記リソース構成情報がアンテナポート構成および参照信号サブフレーム構成に関する情報を含み、前記アンテナポート構成がアンテナポート構造を指示し、前記参照信号サブフレーム構成が1つまたは複数のアンテナポートグループ上で前記参照信号を送るための参照信号サブフレームを指示し、各アンテナポートグループが連続したインデックスを有するn個のアンテナポートを備え、ここで、nがアンテナポート構造パラメータである、プロセッサと、
ユーザ機器へ前記参照信号の前記リソース構成情報および前記参照信号を送るように構成された送信機と
を備える、基地局。
【発明の詳細な説明】
【技術分野】
【０００１】
本発明は、通信分野に関し、特に、参照信号を受信するためおよび送るための方法および装置、ユーザ機器、ならびに基地局に関する。
【背景技術】
【０００２】
参照信号は、2つのタイプへと一般に分類されることが可能であり、一方のタイプは、スケジューリングを実施するためにチャネル状態を測定するためまたはチャネル品質を測定するために使用され、他方のタイプは、制御情報またはデータ情報を含む受信信号にコヒーレント復調を実行するために使用される。例えば、コヒーレント復調のために使用される参照信号は、復調参照信号(DMRS、demodulation reference signals)と呼ばれ、そしてその参照信号は、ユーザ機器(UE、user equipment)に固有の参照信号(UE-specific reference signal)とも呼ばれ、物理下りリンク共有チャネル(PDSCH、physical downlink shared channel)が復調されるときにチャネル推定を実行するために使用され、チャネル状態情報を測定するために使用される参照信号は、チャネル状態情報参照信号(CSI-RS、channel state information reference signal)と呼ばれ、マルチアンテナ送信が実行される状況で特に使用される。ランクインジケータ(RI、rank indicator)、プリコーディングマトリックスインジケータ(PMI、pre-coding matrix indicator)、チャネル品質インジケータ(CQI、channel quality indicator)、および他のフィードバック情報は、CSI-RSに基づいたチャネル測定から導き出されることが可能である。セルに固有の参照信号(CRS、sell specific reference signal)は、物理下りリンク制御チャネル(PDCCH、physical downlink control channel)および別の共通チャネルの復調を実施するように、UEチャネル推定のために使用されることが可能である。加えて、CRSは、セル選択などの機能を実施するために、参照信号受信電力(RSRP、reference signal received power)および参照信号受信品質(RSRQ、reference signal received quality)などの、信号品質を測定するためにさらに使用されることが可能である。
【０００３】
複数のアンテナは、システムの能力およびカバレッジを大きくするためにまたはユーザエクスペリエンスを向上させるために、最新の通信システムでは広く使用されている。例えば、ロングタームエボリューション(LTE、Long Term Evolution)R8システムは、4個のアンテナポートをサポートすることが可能であり、LTE R10からR11システムは、8個のアンテナポートをサポートすることが可能である。各アンテナポートは、1つの物理アンテナまたは1つの仮想アンテナに対応することができ、ここでは、仮想アンテナは、複数の物理アンテナの重み付けした組合せである。通信システムは、パイロット信号または参照信号を使用することによって各アンテナポートに関係付けられたチャネル推定値を取得することができる。
【０００４】
スペクトル効率をさらに向上させるために、アクティブアンテナシステム(AAS、active antenna system)に基づいたアンテナ構成などの、より多くのアンテナ構成が導入されている。AAS基地局は、アンテナの自由度の垂直設計をさらに提供し、したがって、AAS基地局は、水平および垂直の二次元アンテナアレイを使用することによって実装されることが可能である。AAS基地局に関して、アンテナポートの数が同じであるとしても、アンテナアレイ構造が、異なることがある。例えば、16個のアンテナポートは、2×8アンテナアレイによって実装されてもよい、または4×4アンテナアレイを使用することによって実装されてもよい。したがって、同じ数を有するアンテナポートに関して、異なるチャネル状態測定値が、異なるアレイ構造においてやはり取得されてもよい。
【０００５】
従来技術では、送信アンテナポート数構成を取得するための複数の解決策が与えられる。しかしながら、構成に関する情報が水平アンテナアレイの設計に実際には特有であるという理由で、構成に関する情報は、AASのアンテナアレイ構造には適応できない。加えて、既存のシステムは、多くても8個のアンテナポートの構成をサポートすることができるに過ぎない。すなわち、従来技術は、AASのアンテナアレイ構造の適応型構成を実装することができず、8個のアンテナポートよりも多くの参照信号構成をサポートできない。
【発明の概要】
【課題を解決するための手段】
【０００６】
本発明は、参照信号を送ることおよび受信することについての、アンテナアレイ構造の変更およびアンテナポートの増加によって引き起こされる問題を解決するために、参照信号を受信するためおよび送るための方法および装置、ユーザ機器、ならびに基地局を提供する。
【０００７】
第1の態様によれば、参照信号を受信するための方法が提供され、参照信号のリソース構成情報を受信するステップであって、参照信号のリソース構成情報が、アンテナポート構成および参照信号サブフレーム構成に関する情報を含み、アンテナポート構成が、アンテナポート構造を指示し、参照信号サブフレーム構成が、1つまたは複数のアンテナポートグループ上で参照信号を送るための参照信号サブフレームを指示し、各アンテナポートグループが、連続したインデックスを有するn個のアンテナポートを含み、ここで、nがアンテナポート構造パラメータである、受信するステップと、参照信号のリソース構成情報に従って、基地局によって送られる参照信号を受信するステップとを含む。
【０００８】
第1の態様を参照して、第1の態様の第1の実装方式では、アンテナポート構成によって指示される情報は、アンテナポートの全数Nであり、ここで、Nがnの倍数であり、nが予め決められた正の整数である。
【０００９】
第1の態様を参照して、第1の態様の第2の実装方式では、アンテナポート構成によって指示される情報は、アンテナポート構造パラメータmおよびアンテナポート構造パラメータnである、またはアンテナポート構成によって指示される情報は、アンテナポート構造パラメータmおよびアンテナポート構造パラメータnについて実行されるジョイントコーディングである。
【００１０】
第1の態様または第1の態様の実装方式を参照して、第1の態様の第3の実装方式では、参照信号サブフレーム構成によって指示される情報は、サブフレーム期間およびサブフレームオフセットを含み、サブフレームオフセットが、サブフレーム期間において参照信号を送るための1つまたは複数のサブフレーム位置を指示する。
【００１１】
第1の態様または第1の態様の実装方式を参照して、第1の態様の第4の実装方式では、参照信号サブフレーム間の間隔は、5、10、20、40、または80サブフレームの整数倍である。
【００１２】
第1の態様または第1の態様の実装方式を参照して、第1の態様の第5の実装方式では、参照信号のリソース構成情報は、参照信号構成に関する情報をさらに含み、参照信号構成は、参照信号が参照信号サブフレーム期間内の各参照信号サブフレームにおいて送られるときに、各アンテナポートによって使用される物理リソースを指示する。
【００１３】
第1の態様の第5の実装方式を参照して、第1の態様の第6の実装方式では、参照信号構成は、アンテナポートによって使用される異なるリソース素子を指示し、アンテナポートが、連続したインデックスを有し、参照信号サブフレーム期間内の異なる参照信号サブフレームにおいて参照信号を送るために使用される。
【００１４】
第2の態様によれば、参照信号を送るための方法が提供され、UEへ参照信号のリソース構成情報を送るステップであって、参照信号のリソース構成情報が、アンテナポート構成および参照信号サブフレーム構成に関する情報を含み、アンテナポート構成が、アンテナポート構造を指示し、参照信号サブフレーム構成が、1つまたは複数のアンテナポートグループ上で参照信号を送るための参照信号サブフレームを指示し、各アンテナポートグループが、連続したインデックスを有するn個のアンテナポートを含み、ここで、nがアンテナポート構造パラメータである、送るステップと、参照信号のリソース構成情報に従ってユーザ機器へ参照信号を送るステップとを含む。
【００１５】
第2の態様を参照して、第2の態様の第1の実装方式では、アンテナポート構成によって指示される情報は、アンテナポートの全数Nであり、ここで、Nがnの倍数であり、nが予め決められた正の整数である。
【００１６】
第2の態様を参照して、第2の態様の第2の実装方式では、アンテナポート構成によって指示される情報は、アンテナポート構造パラメータmおよびアンテナポート構造パラメータnである、またはアンテナポート構成によって指示される情報は、アンテナポート構造パラメータmおよびアンテナポート構造パラメータnについて実行されるジョイントコーディングである。
【００１７】
第2の態様または第2の態様の実装方式を参照して、第2の態様の第3の実装方式では、参照信号サブフレーム構成によって指示される情報は、サブフレーム期間およびサブフレームオフセットを含み、サブフレームオフセットが、サブフレーム期間において参照信号によって使用される1つまたは複数のサブフレーム位置を指示する。
【００１８】
第2の態様または第2の態様の実装方式を参照して、第2の態様の第4の実装方式では、参照信号サブフレーム間の間隔は、5、10、20、40、または80サブフレームの整数倍である。
【００１９】
第2の態様または第2の態様の実装方式を参照して、第2の態様の第5の実装方式では、参照信号のリソース構成情報は、参照信号構成に関する情報をさらに含み、参照信号構成は、参照信号が参照信号サブフレーム期間内の各参照信号サブフレームにおいて送られるときに、各アンテナポートによって使用される物理リソースを指示する。
【００２０】
第2の態様の第5の実装方式を参照して、第2の態様の第6の実装方式では、参照信号構成は、アンテナポートによって使用される異なるリソース素子を指示し、アンテナポートが、連続したインデックスを有し、参照信号サブフレーム期間内の異なる参照信号サブフレームにおいて参照信号を送るために使用される。
【００２１】
第3の態様によれば、参照信号を受信するための装置が提供され、参照信号のリソース構成情報を受信するように構成された第1の受信側ユニットであって、参照信号のリソース構成情報が、アンテナポート構成および参照信号サブフレーム構成に関する情報を含み、アンテナポート構成が、アンテナポート構造を指示し、参照信号サブフレーム構成が、1つまたは複数のアンテナポートグループ上で参照信号を送るための参照信号サブフレームを指示し、各アンテナポートグループが、連続したインデックスを有するn個のアンテナポートを含み、ここで、nがアンテナポート構造パラメータである、第1の受信側ユニットと、第1の受信側ユニットによって受信される参照信号のリソース構成情報に従って、基地局によって送られる参照信号を受信するように構成された第2の受信側ユニットとを含む。
【００２２】
第3の態様を参照して、第3の態様の第1の実装方式では、アンテナポート構成によって指示される情報は、アンテナポートの全数Nであり、ここで、Nがnの倍数であり、nが予め決められた正の整数である。
【００２３】
第3の態様を参照して、第3の態様の第2の実装方式では、アンテナポート構成によって指示される情報は、アンテナポート構造パラメータmおよびアンテナポート構造パラメータnである、またはアンテナポート構成によって指示される情報は、アンテナポート構造パラメータmおよびアンテナポート構造パラメータnについて実行されるジョイントコーディングである。
【００２４】
第3の態様または第3の態様の実装方式を参照して、第3の態様の第3の実装方式では、参照信号サブフレーム構成によって指示される情報は、サブフレーム期間およびサブフレームオフセットを含み、サブフレームオフセットが、サブフレーム期間において参照信号を送るための1つまたは複数のサブフレーム位置を指示する。
【００２５】
第3の態様または第3の態様の実装方式を参照して、第3の態様の第4の実装方式では、参照信号サブフレーム間の間隔は、5、10、20、40、または80サブフレームの整数倍である。
【００２６】
第3の態様または第3の態様の実装方式を参照して、第3の態様の第5の実装方式では、参照信号のリソース構成情報は、参照信号構成に関する情報をさらに含み、参照信号構成は、参照信号が参照信号サブフレーム期間内の各参照信号サブフレームにおいて送られるときに、各アンテナポートによって使用される物理リソースを指示する。
【００２７】
第3の態様の第5の実装方式を参照して、第3の態様の第6の実装方式では、参照信号構成は、アンテナポートによって使用される異なるリソース素子を指示し、アンテナポートが、連続したインデックスを有し、参照信号サブフレーム期間内の異なる参照信号サブフレームにおいて参照信号を送るために使用される。
【００２８】
第4の態様によれば、参照信号を送るための装置が提供され、ユーザ機器へ参照信号のリソース構成情報を送るように構成された第1の送信側ユニットであって、参照信号のリソース構成情報が、アンテナポート構成および参照信号サブフレーム構成に関する情報を含み、アンテナポート構成が、アンテナポート構造を指示し、参照信号サブフレーム構成が、1つまたは複数のアンテナポートグループ上で参照信号を送るための参照信号サブフレームを指示し、各アンテナポートグループが、連続したインデックスを有するn個のアンテナポートを含み、ここで、nがアンテナポート構造パラメータである、第1の送信側ユニットと、第1の送信側ユニットによって送られる参照信号のリソース構成情報に従ってユーザ機器へ参照信号を送るように構成された第2の送信側ユニットとを含む。
【００２９】
第4の態様を参照して、第4の態様の第1の実装方式では、アンテナポート構成によって指示される情報は、アンテナポートの全数Nであり、ここで、Nがnの倍数であり、nが予め決められた正の整数である。
【００３０】
第4の態様を参照して、第4の態様の第2の実装方式では、アンテナポート構成によって指示される情報は、アンテナポート構造パラメータmおよびアンテナポート構造パラメータnである、またはアンテナポート構成によって指示される情報は、アンテナポート構造パラメータmおよびアンテナポート構造パラメータnについて実行されるジョイントコーディングである。
【００３１】
第4の態様または第4の態様の実装方式を参照して、第4の態様の第3の実装方式では、参照信号サブフレーム構成によって指示される情報は、サブフレーム期間およびサブフレームオフセットを含み、サブフレームオフセットが、サブフレーム期間において参照信号を送るための1つまたは複数のサブフレーム位置を指示する。
【００３２】
第4の態様または第4の態様の実装方式を参照して、第4の態様の第4の実装方式では、参照信号サブフレーム間の間隔は、5、10、20、40、または80サブフレームの整数倍である。
【００３３】
第4の態様または第4の態様の実装方式を参照して、第4の態様の第5の実装方式では、参照信号のリソース構成情報は、参照信号構成に関する情報をさらに含み、参照信号構成は、参照信号が参照信号サブフレーム期間内の各参照信号サブフレームにおいて送られるときに、各アンテナポートによって使用される物理リソースを指示する。
【００３４】
第4の態様の第5の実装方式を参照して、第4の態様の第6の実装方式では、参照信号構成は、アンテナポートによって使用される異なるリソース素子を指示し、アンテナポートが、連続したインデックスを有し、参照信号サブフレーム期間内の異なる参照信号サブフレームにおいて参照信号を送るために使用される。
【００３５】
第5の態様によれば、ユーザ機器が提供され、プロセッサとトランシーバとを含み、トランシーバは、プロセッサの制御の下で参照信号のリソース構成情報を受信するように構成され、参照信号のリソース構成情報が、アンテナポート構成および参照信号サブフレーム構成に関する情報を含み、アンテナポート構成が、アンテナポート構造を指示し、参照信号サブフレーム構成が、1つまたは複数のアンテナポートグループ上で参照信号を送るための参照信号サブフレームを指示し、各アンテナポートグループが、連続したインデックスを有するn個のアンテナポートを含み、ここで、nがアンテナポート構造パラメータであり、トランシーバは、参照信号の受信したリソース構成情報に従って、基地局によって送られる参照信号を受信するようにさらに構成される。
【００３６】
第6の態様によれば、基地局が提供され、参照信号のリソース構成情報を決定するように構成されたプロセッサであって、参照信号のリソース構成情報が、アンテナポート構成および参照信号サブフレーム構成に関する情報を含み、アンテナポート構成が、アンテナポート構造を指示し、参照信号サブフレーム構成が、1つまたは複数のアンテナポートグループ上で参照信号を送るための参照信号サブフレームを指示し、各アンテナポートグループが、連続したインデックスを有するn個のアンテナポートを含み、ここで、nがアンテナポート構造パラメータである、プロセッサと、ユーザ機器へ参照信号のリソース構成情報および参照信号を送るように構成された送信機とを含む。
【００３７】
本発明の実施形態では、参照信号は、参照信号のリソース構成情報に基づいて送信され、信号品質またはチャネル状態情報についての測定を実施することがわかる。UEは、基地局から入手した参照信号に基づいてチャネルを測定し、信号品質またはチャネル状態情報をフィードバックし、その結果、通信システムは、アンテナアレイ構造およびより多くのアンテナポート数構成に適応することが可能であり、セル選択またはMCS選択およびスケジューリングのために使用され、これによってシステムスループットを向上させる。
【００３８】
より明確に本発明の実施形態における技術的な解決策を説明するために、下記は、本発明の実施形態を説明するために必要な添付の図面を簡単に紹介する。明らかに、下記の説明では添付の図面は、本発明の単にいくつかの実施形態を示し、当業者は、創造的な努力せずにこれらの添付の図面から他の図面を導き出すことを依然としてできる。
【図面の簡単な説明】
【００３９】
【図１】本発明の実施形態に従って参照信号を受信するための方法の流れ図である。
【図２】AAS基地局の均一リニアアレイアンテナアレイを示す図である。
【図３】AAS基地局の直交偏波アンテナアレイを示す図である。
【図４】レガシー基地局の均一リニアアレイを示す図である。
【図５】レガシー基地局の直交偏波リニアアレイを示す図である。
【図６】本発明の実施形態に従って参照信号を送るための方法の流れ図である。
【図７】本発明の実施形態に従って参照信号を受信するための装置の模式的構造図である。
【図８】本発明の実施形態に従って参照信号を送るための装置の模式的構造図である。
【図９】本発明の実施形態に従ったユーザ機器の模式的構造図である。
【図１０】本発明の実施形態に従った基地局の模式的構造図である。
【発明を実施するための形態】
【００４０】
下記は、本発明の実施形態の添付の図面を参照して本発明の実施形態における技術的な解決策を明確にかつ十分に説明する。明らかに、説明される実施形態は、本発明の実施形態のすべてではなくいくつかである。創造的な努力をせずに本発明の実施形態に基づいて当業者によって得られるすべての他の実施形態は、本発明の保護の範囲内になるであろう。
【００４１】
本発明の技術的な解決策は、移動体通信用グローバルシステム(GSM(登録商標)、Global System of Mobile communication)、符号分割多元接続(CDMA、Code Division Multiple Access)システム、広帯域符号分割多元接続(WCDMA(登録商標)、Wideband Code Division Multiple Access Wireless)、汎用パケット無線サービス(GPRS、General Packet Radio Service)、およびLTEなどの、様々な通信システムに適用されることが可能である。
【００４２】
UEは、移動端末(Mobile Terminal)、移動局(Mobile Station)、等ともやはり呼ばれることがあり、中継器(Relay)をさらに含むことができ、そして無線アクセスネットワーク(例えば、RAN、Radio Access Network)を介して1つまたは複数のコアネットワークと通信することができる。UEは、無線アクセスネットワークと音声および/またはデータを交換する。
【００４３】
基地局は、GSM(登録商標)またはCDMAにおける基地局(BTS、Base Transceiver Station)であってもよく、WCDMA(登録商標)における基地局(NodeB)でやはりあってもよく、そしてLTEにおける発展型NodeB(eNBまたはe-NodeB、evolved Node B)でさらにあってもよい。加えて、1つの基地局は、1つまたは複数のセル(cell)をサポートする/管理することができ、UEがネットワークと通信する必要があるときには、UEは、ネットワークアクセスを始めるために1つのセルを選択する。
【００４４】
本発明の実施形態では、参照信号を送るためおよび受信するための方法は、AAS基地局のアンテナ構成(特に、8個、16個、32個、64個のアンテナポートおよび別の数のアンテナポートのアンテナ構成)を提供し、ここでは、参照信号は、チャネル品質もしくはチャネル状態情報を測定するために使用されることが可能である、またはコヒーレント復調のために使用されることが可能である。UEは、参照信号に基づいてチャネルを測定し、チャネル品質もしくはチャネル状態情報をフィードバックする、または参照信号に基づいてPDSCH復調を実行する、これは、セル選択または変調およびコーディング方式(MCS、modulation and coding scheme)選択、ならびにシステムスループットを向上させることが可能であるリソーススケジューリングを実行するために、アンテナアレイ構造およびより多くのアンテナポート数構成に適応することが可能である。加えて、新しいLTE R12システムが設計されるときに、下位互換性を考慮することがやはり重要であり、例えば、AAS基地局を備えたLTE R12システムは、LTE R8からR11におけるレガシー(legacy)UEがアクセスを行うことが可能であり、かつ通常通信を実行することが可能であることを確実にすること、およびレガシーUEへの干渉を特に回避することが要求されることに留意すべきである。本発明の実施形態では、システムの下位互換性要求が、さらに満足されることが可能である。
【００４５】
本発明の実施形態に従って参照信号を送信するための方法が、図1を参照して下記に詳細に説明される。UEに関して、基地局からUEによって参照信号を受信するための方法は、下記のステップを含む。
【００４６】
11:参照信号のリソース構成情報を受信する、ここでは、参照信号のリソース構成情報が、アンテナポート構成および参照信号サブフレーム構成に関する情報を含み、アンテナポート構成が、アンテナポート構造を指示し、参照信号サブフレーム構成が、1つまたは複数のアンテナポートグループ上で参照信号を送るための参照信号サブフレームを指示し、そして各アンテナポートグループが、連続したインデックスを有するn個のアンテナポートを含み、ここで、nはアンテナポート構造パラメータである。
【００４７】
各アンテナポートは、1つの参照信号に関係付けられるまたは対応し、各アンテナポートが、参照信号によって一意的に識別されることに留意すべきである。参照信号サブフレームは、参照信号を送るためのサブフレームを指す。
【００４８】
例えば、UEは、上位レイヤシグナリングもしくはダイナミックシグナリングを使用することによって基地局から参照信号のリソース構成情報を受信することができる、またはUEは、セル識別子に基づいて、基地局から参照信号のリソース構成情報を受信することができる。
【００４９】
12:参照信号のリソース構成情報に従って参照信号を受信する。
【００５０】
本発明のこの実施形態では、参照信号が、信号品質またはチャネル状態情報についての測定を実施する参照信号のリソース構成情報に基づいて送信されることがわかる。UEは、基地局から入手した参照信号に基づいてチャネルを測定し、信号品質またはチャネル状態情報をフィードバックし、その結果、通信システムは、アンテナアレイ構造およびより多くのアンテナポート数構成に適応することが可能であり、セル選択またはMCS選択およびスケジューリングのために使用され、これによってシステムスループットを向上させる。
【００５１】
本発明のこの実施形態に従って、アンテナポート構成によって指示される情報は、アンテナポートの全数Nであることができ、ここで、Nはnの倍数である。このケースでは、アンテナポート構成によって指示されるアンテナポート構造は、パラメータN/nおよびパラメータnを使用することによって決定される。このケースでは、アンテナポートパラメータnは、予め決められてもよく、UEおよび基地局によって知られている。加えて、アンテナポートパラメータnは、同報通信することまたはマルチキャストすることによってUEにやはり通知されてもよい。アンテナポート構造パラメータnは、UEに固有のパラメータであってもよく、またはセルに固有のパラメータであってもよい。
【００５２】
任意選択で、別の実施形態として、アンテナポート構成によって指示される情報は、パラメータmおよびパラメータnである。このケースでは、アンテナポート構成によって指示されるアンテナポート構造は、パラメータmおよびパラメータnを使用することによって決定され、例えば、例えば、アンテナポート構造は、m行およびn列を有するアンテナアレイである。
【００５３】
このようにして、UEは、アンテナポート構成に関する情報に従ってアンテナポート構造を取得することができる。アンテナポート構造は、アンテナアレイ構造であってもよく、またはアンテナアレイ構造に対応してもよい。
【００５４】
具体的には、各アンテナポートグループがn個のアンテナポートを有することを、UEが既に学習している場合には、UEは、与えられたN/n個のアンテナポートグループがあること、基地局がアンテナポート構成を使用することによってアンテナポートの全数がNであることをUEへ指示することを、決定することが可能である。あるいは、基地局は、アンテナポート構成を使用することによって、UEへアンテナポートアレイの構造パラメータmおよび構造パラメータnを直接指示し、このケースでは、アンテナポート構造は、m行およびn列を有するアンテナアレイに対応する。したがって、UEは、参照信号のリソース構成情報に従ってアンテナポート構造またはアンテナアレイ構造を学習することができる。
【００５５】
加えて、参照信号サブフレーム構成によって指示される情報は、サブフレーム期間およびサブフレームオフセットを含むことができ、ここでは、サブフレームオフセットが、サブフレーム期間において参照信号を送るための1つまたは複数のサブフレーム位置を指示する。サブフレーム位置は、1つのサブフレーム期間内に均等に分散されるまたは等しい長さの方式で分散されることが可能であり、そしてサブフレーム位置は、要求に従って、別の構成への干渉を回避するように、1つのサブフレーム期間内に不均等に分散されるようにやはり構成されることが可能である。さらに、参照信号を送るための参照信号サブフレーム間の間隔は、5、10、20、40、または80サブフレームの整数倍である。
【００５６】
一般的に、参照信号は、各参照信号サブフレームにおいて1つまたは複数のアンテナポートグループ上で送られ、ここでは、各アンテナポートグループが、連続したインデックスを有するn個のアンテナポートを含み、nはアンテナポート構造パラメータである。
【００５７】
連続したインデックスを有するn個のアンテナポートは、アンテナアレイ構造またはアンテナポート構造内の水平方向のアンテナポートの1列に対応することができ、既存のLTE R8からR11システムは、アンテナアレイ構造またはアンテナポート構造内の水平方向のアンテナポートのその列を使用することができる、すなわち、既存のLTE R8からR11システムのアンテナポートまたは参照信号は、AAS基地局で構成されたLTE R12および将来のシステムのサブセットであることが可能である。既存のLTE R8からR11システムは、水平方向に展開されたアンテナアレイ用に主に設計されており、したがって、連続したインデックスを有するn個のアンテナポートは、既存のシステムと互換的であることが可能であり、既存のシステムのUEが正常なアクセスおよび通信を実行できることを、確実にしている。
【００５８】
各参照信号サブフレーム内の参照信号によって占められている、各物理リソースブロック(PRB、physical resource block)内のリソース素子(RE、resource element)などの、物理リソースは、予め決められることが可能であり、UEおよび基地局(eNBなど)によって知られている。
【００５９】
加えて、参照信号のリソース構成情報は、参照信号構成に関する情報をさらに含むことができ、ここでは、参照信号構成は、参照信号が本明細書においては限定されていない参照信号サブフレーム期間内の各参照信号サブフレームにおいて送られるときに、各アンテナポートによって使用され、各PRB内の参照信号によって使用されるREなどの、物理リソースを指示することができる。
【００６０】
参照信号サブフレーム期間内の各参照信号サブフレームにおける参照信号構成は、同じであってもよい。例えば、参照信号サブフレーム期間内の1つの参照信号サブフレームにおいて連続したインデックスを有するn個のアンテナポートによって使用される参照信号、および参照信号サブフレーム期間内の別の参照信号サブフレームにおいて連続したインデックスを有するn個のアンテナポートによって使用される参照信号は、物理リソース素子REの同じ位置を占める。
【００６１】
各参照信号サブフレーム内の異なる物理リソースブロックPRB上の、参照信号構成によって指示されているREは、各PRB内の同じ位置を有することができる、または各PRB内の異なる位置を有することができることに留意すべきである。各PRB内の、参照信号構成に対応するREの位置は、既存のLTE-R10のCSI RSによって使用されるREまたは符号リソースの位置を使用することができ、詳細は本明細書では再び与えられない。
【００６２】
ステップ12では、UEは、受信した参照信号のリソース構成に従って、アンテナポート構成を取得することができ、アンテナポート構成によって指示されるアンテナポート構造パラメータ、例えば、アンテナポートの全数Nまたは構造パラメータmおよび構造パラメータnに従って、UEは、参照信号のサブフレーム期間およびサブフレーム期間内の参照信号サブフレームのサブフレームオフセットを学習するために、受信した参照信号のリソース構成に従って参照信号サブフレーム構成を取得することができ、参照信号サブフレームの位置を取得することができ、さらに、UEは、参照信号サブフレームにおいて、1つまたは複数のアンテナポートグループ上で送られる参照信号を受信することができ、ここでは、各アンテナポートグループがn個のアンテナポートを含み、各参照信号が1つのアンテナポートに対応する。
【００６３】
加えて、各参照信号サブフレーム内の参照信号によって占められた物理リソース(各PRB内の参照信号において使用されるREなど)の位置は、UEおよび基地局によって知られている予め決められた物理リソースに従って取得されてもよい、または参照信号のリソース構成内にさらに含まれている参照信号構成によって指示される物理リソースに従って取得されてもよい。REの位置または符号リソースに従って参照信号をどのように取得するかは、従来技術であり、詳細は本明細書では再び与えられない。
【００６４】
UEは、参照信号のリソース構成情報に従って参照信号を受信することができ、さらに、受信した参照信号に基づいてチャネル推定を実行することができ、例えば、最小二乗(LS、Least Square)法を使用することによって、または最小平均二乗誤差(MMSE、Minimum Mean Squared Error)基準に基づいて各アンテナポートに対応するチャネル推定値を取得することができる。チャネル推定に基づいて、UEは、チャネル状態情報を決定することができ、基地局へチャネル状態情報を報告することができる。
【００６５】
加えて、UEは、受信した参照信号に基づいて、参照信号受信電力(RSRP、Reference Signal Received Power)または参照信号受信品質(RSRQ、Reference Signal Received Quality)などの、指定された測定帯域幅における参照信号受信品質に関する情報をさらに取得することができる。受信した参照信号に基づいてRSRPまたはRSRQを取得することは、従来技術によって実施され、詳細は本明細書では再び与えられない。
【００６６】
本発明のこの実施形態では、アンテナポートアレイ構造は、参照信号のリソース構成情報に基づいて入手されることが可能であり、1つまたは複数のn-ポートアンテナポートグループ上で送られる参照信号は、構造パラメータに基づいて参照信号サブフレームにおいて受信され、ここでは、各アンテナポートグループ内に含まれるアンテナポートのインデックスが、チャネル状態情報についての測定または信号受信品質についての測定をUEが実施する際に容易にするように連続していることがわかる。この解決策では、参照信号を送ることは、アンテナアレイ構造およびより多くのアンテナポート数構成に適応することが可能であり、セル選択またはMCS選択およびスケジューリングのために使用され、これによって、システムスループットを向上させる。加えて、アンテナポートの連続したインデックスは、システムの下位互換性要求を満足させることが可能である。
【００６７】
特定の実施形態では、UEは、参照信号のリソース構成情報を受信し、ここでは、参照信号のリソース構成情報が、アンテナポート構成および参照信号サブフレーム構成に関する情報を含む。アンテナポート構成は、アンテナポート構造を指示し、参照信号サブフレーム構成は、1つまたは複数のアンテナポートグループ上で参照信号を送るための参照信号サブフレームを指示し、ここでは、各アンテナポートグループが、連続したインデックスを有するn個のアンテナポートを含む。次いで、UEは、基地局によって送られる参照信号を受信し、ここでは、参照信号が参照信号のリソース構成情報に従って取得される。
【００６８】
具体的には、UEは、上位レイヤシグナリング(無線リソース制御(RRC、Radio Resource Control)シグナリングなど)またはダイナミックシグナリング(下りリンク制御情報(DCI、Downlink Control Information)など)を使用することによって、参照信号のeNBによって通知されるリソース構成情報を受信することができる、またはUEは、セル識別子(Cell ID)に基づいて参照信号のリソース構成情報を取得することができる。
【００６９】
1つの参照信号ポートは、1つの物理アンテナまたは1つの仮想アンテナに常に対応し、仮想アンテナは、複数の物理アンテナの重み付けした組合せによって取得されることが可能である。実際のアンテナ構成について、異なるアンテナ数、アンテナアレイ形態(アンテナ配置方式)、アンテナ偏波、等があってもよい。
【００７０】
アンテナポート構成によって指示される情報は、アンテナポートの全数Nであることができ、ここで、Nはnの倍数である。このケースでは、アンテナポート構成によって指示されるアンテナポート構造は、パラメータN/nおよびパラメータnを使用することによって決定される。このケースでは、アンテナポートパラメータnは、例えば、n=4に予め決められてもよく、UEおよび基地局によって知られている。
【００７１】
あるいは、アンテナポート構成によって指示される情報は、パラメータmおよびパラメータnでやはりあってもよい。このケースでは、アンテナポート構成によって指示されるアンテナポート構造は、パラメータmおよびパラメータnを使用することによって決定され、例えば、アンテナポート構造は、m行およびn列を有するアンテナアレイである。
【００７２】
図2および図3は、AAS基地局の均一リニアアレイアンテナアレイおよび直交偏波アンテナアレイを別々に示す。
【００７３】
例として図2の均一リニアアレイを使用して、アンテナアレイA、B、およびCに対応するインデックスは、それぞれ(m,n)=(2,4)、(m,n)=(2,8)、および(m,n)=(4,4)である。
【００７４】
例として図3の直交偏波アンテナアレイを使用して、アンテナアレイA、B、およびCに対応するインデックスは、それぞれ(m,n)=(2,4)、(m,n)=(2,8)、および(m,n)=(4,4)であり、ここでは、異なる偏波アンテナの2つのグループは、同じ列内の位置に設置されることが可能である。例えば、例としてアンテナアレイAを使用して、(0、1、4、5)は、45°偏波された共偏波アンテナグループであり、そして(2、3、6、7)は、-45°偏波された共偏波アンテナグループである。0および2、1および3、4および6、5および7は、同じ位置に設置され、したがって、アンテナポート0、2、4、および6が、同じ列内に設置され、アンテナポート1、3、5、および7が、同じ列内に設置される。前述のルールは、アンテナアレイBおよびCに適用可能である。
【００７５】
さらに、アンテナポート構成によって指示されるアンテナポート構造パラメータ(例えば、アンテナポートの全数N、インデックスmおよびn、または行の数mおよび列の数nのアンテナアレイ)は、ジョイントコーディングを使用することができる。例えば、UEによって受信される参照信号のリソース構成情報のRRCシグナリングまたはDCIでは、ジョイントコーディングは、アンテナポートの数N、インデックスmおよびn、またはアンテナアレイの行の数mおよび列の数n、例えば、Table 1(表1)に示されているmおよびnならびにジョイントコーディングの対応する値について別々に実行される。
【００７６】
【表１】
2016515777.tif 000003
【００７７】
従来のまたはレガシー基地局(LTE R8からR10システムのeNBなど)によって構成されたアンテナポートと下位互換的であるために、およびAAS基地局のアンテナポート構成に関して、従来の基地局またはレガシー基地局のアンテナアレイは、AAS基地局のアンテナポート構成のサブセットとして使用されるべきであることに留意すべきである。
【００７８】
図4および図5は、レガシー基地局の異なる均一リニアアレイおよび直交偏波アンテナアレイを別々に示す。例えば、図3のアンテナアレイAは、図5のアンテナアレイBを含む。もう1つの例に関して、図3のアンテナアレイBは、図5のアンテナアレイCを含む。このようにして、従来システム(LTE R8からR10システムなど)のUEが、AAS基地局を備えたシステムにアクセスすることができることを確実にすることができ、AAS基地局のシステムは、適切なアンテナポートを構成することによって、レガシーUEが正常に動作することが可能であることを確実にする。
【００７９】
加えて、アンテナポートの番号の開始点は、固定値x、例えば、0から7または0から15であってもよく、対応する番号が、連続的に、x+0、…、およびx+7、またはx+0、…、およびx+15であることに留意すべきである。例えば、xは、15または別の値に等しく、調節は、本明細書においては限定されない、実際の要求に従って実行されてもよい。具体的には、例として16個のアンテナを使用すると、対応する参照信号ポートは、連続的に15、16、…、および30であると想定される。
【００８０】
参照信号サブフレーム構成によって指示される情報は、サブフレーム期間およびサブフレームオフセットを含むことができ、ここでは、サブフレームオフセットが、サブフレーム期間において参照信号によって使用される1つまたは複数のサブフレーム位置を指示する。サブフレーム位置は、1つのサブフレーム期間内に均等に分散されるまたは等しい長さの方式で分散されることが可能であり、そしてサブフレーム位置は、要求に従って、別の構成への干渉を回避するように、1つのサブフレーム期間内に不均等に分散されるようにやはり構成されることが可能である。さらに、参照信号を送るためのサブフレーム間の間隔は、5、10、20、40、または80サブフレームの整数倍である。
【００８１】
例えば、サブフレーム期間内には、参照信号を送るために使用される合計で2つのサブフレームがあり、ここでは、1つのサブフレームにおけるn-ポートアンテナポートグループは、(15、16、…、22)であり、他のサブフレームにおけるn-ポートアンテナポートグループは、(23、…、30)であり、ここでは、n=8である。
【００８２】
あるいは、サブフレーム期間内には、参照信号を送るために使用される合計で4つのサブフレームがあり、ここでは、4つの異なるサブフレームにおけるn-ポートアンテナポートグループは、それぞれ、(15、…、18)、(19、…、22)、(23、…、26)および(27、…、30)であり、ここでは、n=4である。
【００８３】
あるいは、サブフレーム期間内には、参照信号を送るために使用される合計で2つのサブフレームがあり、ここでは、1つのサブフレームにおける2つのn-ポートアンテナポートグループは、それぞれ、(15、…、18)および(23、…、26)であり、他のサブフレームにおける2つのn-ポートアンテナポートグループは、それぞれ、(19、…、22)および(27、…、30)であり、ここでは、n=4である。
【００８４】
前述の方法を使用することによって、より多くの数のアンテナポートへとさらに拡大されることが可能である。加えて、LTE-R10システムなどの、既存のシステムが下位互換的であることを確実にすることが可能である。
【００８５】
さらに、参照信号を送るためのサブフレーム間の間隔は、5、10、20、40、または80サブフレームの整数倍である。
【００８６】
上述したように、1つまたは複数の参照信号ポートグループは、異なるサブフレームで送られ、送られた参照信号ポートグループ内のポートのインデックスは、連続しており、このようにして、既存のシステムの参照信号のリソース構成が、より多くのアンテナポートへと拡大されるために使用されることが可能であるだけでなく、システムは、拡大の後で下位互換性を保つこともやはり可能にでき、その結果、既存のシステムのUEは、正常に動作することが可能である。加えて、参照信号を送るためのサブフレーム間の間隔は、5、10、20、40、または80サブフレームの整数倍であり、干渉抑制を実行するためにゼロパワー参照信号の位置を使用することによって干渉を測定すること、またはゼロパワー参照信号の位置を使用することによってレートマッチングを実行することを既存のシステムのUEに可能にし、これによって、レガシーUEに引き起こされる激しい干渉を回避する。アンテナポートグループの分割が、4個のアンテナポートを有するアンテナポートグループに限定されない、または2個もしくは8個のアンテナポートまたは別の構成形態のアンテナポートグループを有するアンテナポートグループであってもよいことにさらに留意すべきである。それ以外に、各アンテナポートグループに含まれるアンテナポートの数は、前述の値に限定されず、実際のアンテナ構成または展開に従って柔軟に選択されてもよい。予め決められたアンテナポートグループのマッピングおよび指示情報のマッピングは、より多くのアンテナ構成およびアンテナアレイ展開にシステムが適応することを可能にする。
【００８７】
さらに、UEは、参照信号のリソース構成情報に基づいて、基地局によって送られる参照信号を受信する。具体的には、UEは、参照信号の受信したリソース構成情報に従ってアンテナポート構成に関する情報を取得することができ、例えば、上述したように、アンテナポートの数Nを取得するまたはインデックスmおよびnを取得するまたはアンテナアレイの行の数mおよび列の数nを取得することができる。参照信号がアンテナポートに対応するという理由で、参照信号の数がNであるまたはmとnとの積であることが取得されることがある。UEは、受信した参照信号のリソース構成情報に従って参照信号サブフレーム構成に関する情報を取得することができ、ここでは、参照信号サブフレーム構成に関する情報が、サブフレーム期間およびサブフレームオフセットを含み、サブフレームオフセットが、参照信号のサブフレーム位置を取得するために、サブフレーム期間内で参照信号によって占められている1つまたは複数のサブフレームを指示する。UEは、受信した参照信号のリソース構成情報に従って参照信号構成に関する情報を取得することができ、ここでは、参照信号構成は、参照信号が参照信号サブフレーム期間内の各参照信号サブフレームにおいて送られるときに、各アンテナポートによって使用される物理リソースを指示することができ、その結果、参照信号がアンテナポートによって使用される物理リソースにおいて取得されることが可能である。具体的には、参照信号構成は、アンテナポートによって使用される異なるリソース素子を指示することができ、アンテナポートが、連続したインデックスを有し、参照信号サブフレーム期間内の異なる参照信号サブフレームにおいて参照信号を送るために使用される。
【００８８】
最後に、受信した参照信号に基づいて、UEは、チャネル状態情報またはRSRPおよびRSRQなどの信号受信品質に関する情報を決定することができ、そして基地局にチャネル状態情報または信号受信品質に関する情報を報告することができる。
【００８９】
要約すると、本発明は、AAS基地局のアンテナ構成のための参照信号構成の設計解決策を提供する。参照信号構成に関して、1つまたは複数の参照信号ポートグループは、異なるサブフレームにおいて送られ、送られた参照信号ポートグループ内のポートのインデックスは、連続しており、このようにして、既存のシステムの参照信号のリソース構成がより多くのアンテナポートへと拡大されるために使用されることが可能であるだけでなく、システムが、拡大の後で下位互換性を保つことをやはり可能にでき、その結果、既存のシステムのUEは、正常に動作することが可能である。加えて、参照信号を送るためのサブフレーム間の間隔は、5、10、20、40、または80サブフレームの整数倍であり、干渉抑制を実行するためにゼロパワー参照信号の位置を使用することによって干渉を測定すること、またはゼロパワー参照信号の位置を使用することによってレートマッチングを実行することを既存のシステムのUEに可能にし、これによってレガシーUEに引き起こされる激しい干渉を回避する。参照信号構成の参照信号は、チャネル状態情報を測定するために使用されることが可能であり、UEは、参照信号に基づいてチャネルを測定し、チャネル状態情報をフィードバックし、その結果、システムは、より多くのアンテナ構成およびアンテナアレイ展開に適応することが可能であり、セル選択またはMCS選択およびスケジューリングのために使用され、これによってシステムスループットを向上させる。
【００９０】
参照信号および参照信号のリソース構成情報が、異なる基地局からであってもよいことを理解することは容易であり、例えば、COMPシナリオでは、1つの基地局が、すべての協調した基地局の参照信号のリソース構成情報を送り、基地局が、個別の参照信号を各々送る。
【００９１】
本発明の実施形態に従って基地局により参照信号を送るための方法が、図6を参照して下記に詳細に説明され、下記のステップを含む。
【００９２】
61:UEへ参照信号のリソース構成情報を送る、ここでは、参照信号のリソース構成情報は、アンテナポート構成および参照信号サブフレーム構成に関する情報を含み、アンテナポート構成が、アンテナポート構造を指示し、参照信号サブフレーム構成が、1つまたは複数のアンテナポートグループ上で参照信号を送るための参照信号サブフレームを指示し、そして各アンテナポートグループが、連続したインデックスを有するn個のアンテナポートを含み、ここで、nはアンテナポート構造パラメータである。
【００９３】
各アンテナポートは、1つの参照信号に関係付けられるまたは対応し、そして各アンテナポートが参照信号によって一意的に識別されることに留意すべきである。参照信号サブフレームは、参照信号を送るためのサブフレームを呼ぶ。
【００９４】
例えば、基地局は、上位レイヤシグナリングもしくはダイナミックシグナリングを使用することによってUEへ参照信号のリソース構成情報を送る、またはセル識別子に基づいて、UEへ参照信号のリソース構成情報を送る。
【００９５】
アンテナポート構成によって指示される情報は、アンテナポートの全数Nであることができ、ここで、Nはnの倍数である。このケースでは、アンテナポート構成によって指示されるアンテナポート構造は、パラメータN/nおよびパラメータnを使用することによって決定される。このケースでは、アンテナポートパラメータnは、予め決められてもよく、UEおよび基地局によって知られている。加えて、アンテナポートパラメータnは、同報通信することまたはマルチキャストすることによってUEへやはり通知されてもよい。アンテナポート構造パラメータnは、UEに固有のパラメータであってもよい、またはセルに固有のパラメータであってもよい。
【００９６】
あるいは、アンテナポート構成によって指示される情報は、パラメータmおよびパラメータnである。このケースでは、アンテナポート構成によって指示されるアンテナポート構造は、パラメータmおよびパラメータnを使用することによって決定され、例えば、アンテナポート構造は、m行およびn列を有するアンテナアレイである。
【００９７】
参照信号サブフレーム構成によって指示される情報は、サブフレーム期間およびサブフレームオフセットを含むことができ、ここでは、サブフレームオフセットは、サブフレーム期間において参照信号を送るための1つまたは複数のサブフレーム位置を指示する。サブフレーム位置は、1つのサブフレーム期間内に均等に分散されるまたは等しい長さの方式で分散されることが可能であり、そしてサブフレーム位置は、要求に従って、別の構成への干渉を回避するように、1つのサブフレーム期間内に不均等に分散されるようにやはり構成されることが可能である。
【００９８】
さらに、参照信号を送るためのサブフレーム間の間隔は、5、10、20、40、または80サブフレームの整数倍である。
【００９９】
参照信号は、各参照信号サブフレームにおいて1つまたは複数のアンテナポートグループ上で送られ、ここでは、各アンテナポートグループは連続したインデックスを有するn個のアンテナポートを含み、nはアンテナポート構造パラメータである。
【０１００】
連続したインデックスを有するn個のアンテナポートは、アンテナアレイ構造またはアンテナポート構造内の水平方向のアンテナポートの1列に対応することができ、既存のLTE R8からR11システムは、アンテナアレイ構造またはアンテナポート構造内の水平方向のアンテナポートのその列を使用することができる、すなわち、既存のLTE R8からR11システムのアンテナポートまたは参照信号は、AAS基地局で構成されたLTE R12および将来のシステムのサブセットであることが可能である。既存のLTE R8からR11システムは、水平方向に展開されたアンテナアレイ用に主に設計されており、したがって、連続したインデックスを有するn個のアンテナポートは、既存のシステムと互換的であることができ、既存のシステムのUEが正常なアクセスおよび通信を実行できることを確実にしている。
【０１０１】
各参照信号サブフレーム内の参照信号によって占められている物理リソース(各PRB内のREなど)の位置は、予め決められることが可能であり、UEおよび基地局(eNBなど)により知られている。
【０１０２】
加えて、参照信号のリソース構成情報は、参照信号構成に関する情報をさらに含むことができ、ここでは、参照信号構成は、参照信号が本明細書においては限定されていない参照信号サブフレーム期間内の各参照信号サブフレームにおいて送られるときに、各アンテナポートによって使用される、各PRB内の参照信号によって使用されるREなどの、物理リソースを指示することができる。
【０１０３】
参照信号サブフレーム期間内の異なる参照信号サブフレームにおける参照信号構成は、同じであっても異なってもよい。例えば、参照信号サブフレーム期間内の1つの参照信号サブフレームにおいて連続したインデックスを有するn個のアンテナポートによって使用される参照信号および参照信号サブフレーム期間内の別の参照信号サブフレームにおいて連続したインデックスを有するn個のアンテナポートによって使用される参照信号は、物理リソース素子REの同じ位置または異なる位置を占める。
【０１０４】
各参照信号サブフレーム内の異なる物理リソースブロックPRB上の、参照信号構成によって指示されているREは、各PRB内の同じ位置を有することができる、または各PRB内の異なる位置を有することができることに留意すべきである。各PRB内の、参照信号構成に対応するREの位置は、既存のLTE-R10のCSI RSによって使用されるREまたは符号リソースの位置を使用することができ、詳細は本明細書では再び与えられない。
【０１０５】
加えて、参照信号のリソース構成情報がUEへ送られる前に、基地局が、UEの能力、例えば、いくつかのUEが8個のアンテナポートを処理することができるだけである能力を有する、に従ってUE用の参照信号のリソース構成を決定することが、さらに含まれてもよいことにさらに留意すべきである。加えて、基地局は、取り扱っているセル内のUEの数に従って、異なるUEが異なるアンテナポートグループまたはアンテナポートサブセットを使用することにさらに配慮することができる。
【０１０６】
62:基地局は、参照信号のリソース構成情報に従ってUEへ参照信号を送る。
【０１０７】
したがって、基地局は、参照信号のリソース構成情報に従ってUEへ参照信号を送り、その結果、UEは、受信した参照信号に基づいて、チャネル状態情報(RI/PMI/CQIなど)または信号受信品質(RSRPまたはRSRQなど)に関する情報を決定し、そしてUEによって送られるチャネル状態情報または信号受信品質情報を受信する。
【０１０８】
本発明のこの実施形態では、参照信号は、参照信号のリソース構成情報に従って送信され、UEは、アンテナポートアレイ構造に関する情報を通知されることが可能であり、そして、参照信号は、構造パラメータに基づいて、参照信号サブフレームにおいて1つまたは複数のn-ポートアンテナポートグループ上で送られ、ここでは、各アンテナポートグループ内に含まれるアンテナポートのインデックスが、チャネル状態情報についての測定または信号受信品質についての測定をUEが実施する際に容易にするように連続していることがわかる。この解決策では、参照信号を送ることは、アンテナアレイ構造およびより多くのアンテナポート数構成に適応することが可能であり、セル選択またはMCS選択およびスケジューリングのために使用され、これによって、システムスループットを向上させる。加えて、アンテナポートの連続したインデックスは、システムの下位互換性要求を満足させることが可能である。
【０１０９】
特定の実施形態では、eNBは、UEへ参照信号のリソース構成情報を送り、ここでは、参照信号のリソース構成情報が、アンテナポート構成および参照信号サブフレーム構成に関する情報を含む。アンテナポート構成は、アンテナポート構造を指示し、参照信号サブフレーム構成は、各参照信号サブフレームにおいて1つまたは複数のn-ポートアンテナポートグループ上で参照信号が送られることを可能にし、ここでは、各アンテナポートグループが連続したインデックスを有するn個のポートを含む。次いで、eNBは、UEへ参照信号を送り、ここでは、参照信号は、参照信号のリソース構成情報に従って送られる。
【０１１０】
具体的には、eNBは、上位レイヤシグナリング(RRCシグナリングなど)もしくはダイナミックシグナリング(DCIなど)を使用することによってUEへ参照信号のリソース構成情報を送ることができる、またはeNBは、セル識別子に基づいて参照信号のリソース構成情報を送ることができる。
【０１１１】
具体的には、アンテナポート構成によって指示される情報は、アンテナポートの数Nであってもよく、ここで、Nはnの倍数である。このケースでは、アンテナポート構成によって指示されるアンテナポート構造は、パラメータN/nおよびパラメータnを使用することによって決定される。このケースでは、アンテナポートパラメータnは、例えば、n=4に予め決められてもよく、UEおよび基地局によって知られている。
【０１１２】
あるいは、アンテナポート構成によって指示される情報は、パラメータmおよびパラメータnでやはりあってもよく、ここで、mとnとの積がアンテナポートの数Nである。さらに、インデックスmおよびnは、アンテナアレイの行の数および列の数にそれぞれ対応する。
【０１１３】
さらに、アンテナポート構成によって指示されるアンテナポート構造パラメータ(例えば、アンテナポートの全数N、インデックスmおよびn、またはアンテナアレイの行の数mおよび列の数n)は、eNBによって送られる参照信号のリソース構成情報のシグナリングの際にジョイントコーディングを使用することができる。例えば、eNBは、RRCシグナリングまたはDCIを使用することによって参照信号のリソース構成情報を送ることができ、含まれるアンテナポート構成は、パラメータmおよびパラメータn、またはアンテナアレイの行の数mおよび列の数nについて実行されるジョイントコーディングである。
【０１１４】
従来のまたはレガシー基地局(LTE R8からR10システムのeNBなど)によって構成されたアンテナポートと下位互換的であるために、そしてAAS基地局のアンテナポートに対して、従来の基地局またはレガシー基地局のアンテナアレイが、AAS基地局のアンテナポートのサブセットとして使用されるべきであることに留意すべきである。
【０１１５】
加えて、アンテナポートの番号の開始点は、固定値xであってもよいことに留意すべきであり、例えば、x=15のときには、16個のアンテナが例として使用され、対応するアンテナポートは、連続的に15、16、…、および30である。
【０１１６】
参照信号サブフレーム構成によって指示される情報は、サブフレーム期間およびサブフレームオフセットを含むことができ、ここでは、サブフレームオフセットは、サブフレーム期間において参照信号を送るための1つまたは複数のサブフレーム位置を指示し、サブフレーム位置は、1つのサブフレーム期間内に均等に分散されるまたは等しい長さの方式で分散されることが可能であり、そしてサブフレーム位置は、要求に従って、別の構成への干渉を回避するように、1つのサブフレーム期間内に不均等に分散されるようにやはり構成されることが可能である。さらに、参照信号を送るためのサブフレーム間の間隔は、5、10、20、40、または80サブフレームの整数倍である。
【０１１７】
例えば、サブフレーム期間内には、参照信号を送るために使用される合計で2つのサブフレームがあり、ここでは、1つのサブフレームにおけるn-ポートアンテナポートグループは、(15、16、…、22)であり、他のサブフレームにおけるn-ポートアンテナポートグループは、(23、…、30)であり、ここでは、n=8である。
【０１１８】
あるいは、サブフレーム期間内には、参照信号を送るために使用される合計で4つのサブフレームがあり、ここでは、4つの異なるサブフレームにおけるn-ポートアンテナポートグループは、それぞれ、(15、…、18)、(19、…、22)、(23、…、26)、および(27、…、30)であり、ここでは、n=4である。
【０１１９】
あるいは、サブフレーム期間内には、参照信号を送るために使用される合計で2つのサブフレームがあり、ここでは、1つのサブフレームにおける2つのn-ポートアンテナポートグループは、それぞれ、(15、…、18)および(23、…、26)であり、他のサブフレームにおける2つのn-ポートアンテナポートグループは、それぞれ、(19、…、22)および(27、…、30)であり、ここでは、n=4である。
【０１２０】
前述の方法を使用することによって、より多くの数のアンテナポートへとさらに拡大されることが可能である。加えて、LTE-R10システムなどの、既存のシステムが下位互換的であることを確実にすることが可能である。
【０１２１】
前述の実施形態では、参照信号がある各サブフレームにおいて参照信号ポートによって使用されるリソースは、リソース素子RE、OFDMシンボル、または符号ソースを含み、これらは、LTE R10のCSI RSのn-ポート構成に対応する参照信号によって使用されるリソース素子RE、OFDMシンボル、もしくは符号ソースであってもよい、または本明細書においては限定されない別のn-ポート構成に対応する参照信号によって使用されるリソース素子RE、OFDMシンボル、もしくは符号ソースであってもよい。
【０１２２】
加えて、異なるサブフレームに対して、異なるアンテナポートグループは、同じリソースまたは異なるリソースを使用することができる。さらに、参照信号を送るためのサブフレーム間の間隔は、5、10、20、40、または80サブフレームの整数倍である。
【０１２３】
上述したように、1つまたは複数の参照信号ポートグループは、異なるサブフレームにおいて送られ、送られた参照信号ポートグループ内のポートのインデックスは、連続しており、このようにして、既存のシステムの参照信号のリソース構成が、より多くのアンテナポートへと拡大されるために使用されることが可能であるだけでなく、システムは、拡大の後で下位互換性を保つこともやはり可能にでき、その結果、既存のシステムのUEは、正常に動作することが可能である。加えて、参照信号を送るためのサブフレーム間の間隔は、5、10、20、40、または80サブフレームの整数倍であり、干渉抑制を実行するために、ゼロパワー参照信号の位置を使用することによって干渉を測定すること、またはゼロパワー参照信号の位置を使用することによってレートマッチングを実行することを既存のシステムのUEに可能にし、これによってレガシーUEに引き起こされる激しい干渉を回避する。アンテナポートグループの分割は、4個のアンテナポートを有するアンテナポートグループに限定されない、または2個もしくは8個のアンテナポートまたは別の構成形態のアンテナポートグループを有するアンテナポートグループであってもよいことにさらに留意すべきである。それ以外に、各アンテナポートグループに含まれるアンテナポートの数は、前述の値に限定されず、実際のアンテナ構成または展開に従って柔軟に選択されてもよい。予め決められたアンテナポートグループのマッピングおよび指示情報のマッピングは、より多くのアンテナ構成およびアンテナアレイ展開にシステムが適応することを可能にする。
【０１２４】
eNBは、参照信号のリソース構成情報に従ってUEへ参照信号を送る。
【０１２５】
具体的には、eNBは、リソース構成情報に従って1つまたは複数のn-ポートアンテナポートグループ上で参照信号を送り、このリソース構成情報は、送られようとしている参照信号の、アンテナポート構成によって指示されるアンテナポート構造および参照信号サブフレーム構成によって指示される参照信号サブフレームを含む。
【０１２６】
上述したように、アンテナポートの全数Nが決定される、インデックスmおよびnが決定される、またはアンテナアレイの行の数mおよび列の数nが取得される。参照信号がアンテナポートに対応するという理由で、参照信号の数は、Nである、またはmとnとの積であることが決定され得る。eNBは、参照信号のリソース構成情報に従って参照信号サブフレーム構成に関する情報を決定し、ここでは、参照信号サブフレーム構成に関する情報は、サブフレーム期間およびサブフレームオフセットを含み、サブフレームオフセットが、参照信号のサブフレーム位置を決定するために、サブフレーム期間において参照信号を送るための1つまたは複数のサブフレームを指示する。加えて、eNBは、参照信号のリソース構成情報に従って参照信号構成に関する情報をさらに決定することができ、ここでは、参照信号構成は、参照信号が参照信号サブフレーム期間内の各参照信号サブフレームにおいて送られるときに、各アンテナポートによって使用される物理リソースを指示することができ、その結果、参照信号が参照信号ポートによって使用されたリソースにおいて送られることが可能である。
【０１２７】
最後に、eNBは、UEによって報告されるチャネル状態情報(CSIなど)または信号受信品質(RSRPまたはRSRQなど)に関する情報を受信し、ここでは、チャネル状態情報または信号受信品質に関する情報は、参照信号に基づいて取得される。
【０１２８】
要約すると、本発明のこの実施形態は、AAS基地局のアンテナ構成のための参照信号を構成するためおよび送るための解決策を提供する。この解決策では、参照信号は、アンテナポートアレイ構造に基づいて構成されることが可能であり、参照信号は、構造パラメータに基づいて参照信号サブフレームにおいて1つまたは複数のn-ポートアンテナポートグループ上で送られ、ここでは、各アンテナポートグループ内に含まれるアンテナポートのインデックスは、連続しており、このようにして、既存のシステムの参照信号のリソース構成がより多くのアンテナポートへと拡大されるために使用されることが可能であるだけでなく、システムは、拡大の後で下位互換性を保つこともやはり可能にでき、その結果、既存のシステムのUEは、正常に動作することが可能である。加えて、参照信号を送るためのサブフレーム間の間隔は、5、10、20、40、または80サブフレームの整数倍であり、干渉抑制を実行するためにゼロパワー参照信号の位置を使用することによって干渉を測定すること、またはゼロパワー参照信号の位置を使用することによってレートマッチングを実行することを既存のシステムのUEに可能にし、これによってレガシーUEに引き起こされる激しい干渉を回避する。参照信号構成の参照信号は、チャネル状態情報を測定するために使用されることが可能である、または信号受信品質を測定する。UEは、参照信号に基づいてチャネルを測定し、チャネル状態情報または信号受信品質をフィードバックし、その結果、システムは、より多くのアンテナ構成およびアンテナアレイ展開に適応することが可能であり、セル選択またはMCS選択およびスケジューリングのために使用され、これによってシステムスループットを向上させる。
【０１２９】
本発明の実施形態に従って参照信号を受信するための装置が、図7を参照して下記に詳細に説明される。図7に示したように、参照信号を受信するための装置70は、第1の受信側ユニット71および第2の受信側ユニット72を含む。第1の受信側ユニット71は、参照信号のリソース構成情報を受信するように構成され、ここでは、参照信号のリソース構成情報は、アンテナポート構成および参照信号サブフレーム構成に関する情報を含み、アンテナポート構成は、アンテナポート構造を指示し、参照信号サブフレーム構成は、1つまたは複数のアンテナポートグループ上で参照信号を送るための参照信号サブフレームを指示し、各アンテナポートグループは、連続したインデックスを有するn個のアンテナポートを含み、ここで、nはアンテナポート構造パラメータである。第2の受信側ユニット72は、第1の受信側ユニット71によって受信される参照信号のリソース構成情報に従って、基地局によって送られる参照信号を受信するように構成される。
【０１３０】
第1の受信側ユニット71は、上位レイヤシグナリングもしくはダイナミックシグナリングを使用することによって基地局から参照信号のリソース構成情報を受信するように、またはセル識別子に基づいて、基地局から参照信号のリソース構成情報を受信するように構成されることが可能である。
【０１３１】
アンテナポート構成によって指示される情報は、アンテナポートの全数Nであることができ、ここで、Nはnの倍数である。このケースでは、アンテナポート構成によって指示されるアンテナポート構造は、パラメータN/nおよびパラメータnを使用することによって決定される。このケースでは、アンテナポートパラメータnは、予め決められてもよく、UEおよび基地局によって知られている。加えて、アンテナポートパラメータnは、同報通信することまたはマルチキャストすることによってUEへやはり通知されてもよい。アンテナポート構造パラメータnは、UEに固有のパラメータであってもよい、またはセルに固有のパラメータであってもよい。
【０１３２】
あるいは、アンテナポート構成によって指示される情報は、パラメータmおよびパラメータnである。このケースでは、アンテナポート構成によって指示されるアンテナポート構造は、パラメータmおよびパラメータnを使用することによって決定され、例えば、このケースでは、アンテナポート構造は、m行およびn列を有するアンテナアレイである。
【０１３３】
参照信号サブフレーム構成によって指示される情報は、サブフレーム期間およびサブフレームオフセットを含むことができ、ここでは、サブフレームオフセットは、サブフレーム期間において参照信号を送るための1つまたは複数のサブフレーム位置を指示する。サブフレーム位置は、1つのサブフレーム期間内に均等に分散されるまたは等しい長さの方式で分散されることが可能であり、そしてサブフレーム位置は、要求に従って、別の構成への干渉を回避するように、1つのサブフレーム期間内に不均等に分散されるようにやはり構成されることが可能である。さらに、参照信号サブフレーム間の間隔は、5、10、20、40、または80サブフレームの整数倍である。
【０１３４】
一般的に、参照信号は、各参照信号サブフレームにおいて1つまたは複数のアンテナポートグループ上で送られ、ここでは、各アンテナポートグループは、連続したインデックスを有するn個のアンテナポートを含み、nは、アンテナポート構造パラメータである。
【０１３５】
連続したインデックスを有するn個のアンテナポートは、アンテナアレイ構造またはアンテナポート構造内の水平方向のアンテナポートの1列に対応することができ、既存のLTE R8からR11システムは、アンテナアレイ構造またはアンテナポート構造内の水平方向のアンテナポートのその列を使用することができる、すなわち、既存のLTE R8からR11システムのアンテナポートまたは参照信号は、AAS基地局で構成されたLTE R12および将来のシステムのサブセットであることが可能である。既存のLTE R8からR11システムは、水平方向に展開されたアンテナアレイ用に主に設計されており、したがって、連続したインデックスを有するn個のアンテナポートは、既存のシステムと互換的であることができ、既存のシステムのUEが正常なアクセスおよび通信を実行できることを確実にしている。
【０１３６】
各参照信号サブフレーム内の参照信号によって占められている、各PRB内のREなどの物理リソースは、予め決められることが可能であり、UEおよび基地局により知られている。
【０１３７】
加えて、参照信号のリソース構成情報は、参照信号構成に関する情報をさらに含むことができ、ここでは、参照信号構成は、参照信号が本明細書においては限定されていない参照信号サブフレーム期間内の各参照信号サブフレームにおいて送られるときに、各アンテナポートによって使用される、各PRB内の参照信号によって使用されるREなどの、物理リソースを指示することができる。
【０１３８】
参照信号サブフレーム期間内の各参照信号サブフレームにおける参照信号構成は、同じであってもよい。例えば、参照信号サブフレーム期間内の1つの参照信号サブフレームにおいて連続したインデックスを有するn個のアンテナポートによって使用される参照信号および参照信号サブフレーム期間内の別の参照信号サブフレームにおいて連続したインデックスを有するn個のアンテナポートによって使用される参照信号は、物理リソース素子REの同じ位置を占める。
【０１３９】
各参照信号サブフレーム内の異なる物理リソースブロックPRB上の、参照信号構成によって指示されているREは、各PRB内の同じ位置を有することができる、または各PRB内の異なる位置を有することができることに留意すべきである。各PRB内の、参照信号構成に対応するREの位置は、既存のLTE-R10のCSI RSによって使用されるREまたは符号リソースの位置を使用することができ、詳細は本明細書では再び与えられない。
【０１４０】
本発明のこの実施形態では、アンテナポートアレイ構造が、参照信号のリソース構成情報に基づいて入手されることが可能であり、1つまたは複数のn-ポートアンテナポートグループ上で送られる参照信号が、構造パラメータに基づいて参照信号サブフレームにおいて受信され、ここでは、各アンテナポートグループ内に含まれるアンテナポートのインデックスが、チャネル状態情報についての測定または信号受信品質についての測定をUEが実施する際に容易にするように連続していることがわかる。この解決策では、参照信号を送ることは、アンテナアレイ構造およびより多くのアンテナポート数構成に適応することが可能であり、セル選択またはMCS選択およびスケジューリングのために使用され、これによって、システムスループットを向上させる。加えて、アンテナポートの連続したインデックスは、システムの下位互換性要求を満足させることが可能である。
【０１４１】
本発明の実施形態に従って参照信号を送るための装置が、図8を参照して下記に詳細に説明される。図8に示したように、参照信号を送るための装置80は、第1の送信側ユニット81および第2の送信側ユニット82を含む。第1の送信側ユニット81は、UEへ参照信号のリソース構成情報を送るように構成され、ここでは、参照信号のリソース構成情報は、アンテナポート構成および参照信号サブフレーム構成に関する情報を含み、アンテナポート構成は、アンテナポート構造を指示し、参照信号サブフレーム構成は、1つまたは複数のアンテナポートグループ上で参照信号を送るための参照信号サブフレームを指示し、各アンテナポートグループは、連続したインデックスを有するn個のアンテナポートを含み、ここで、nはアンテナポート構造パラメータである。第2の送信側ユニット82は、第1の送信側ユニット81によって送られる参照信号のリソース構成情報に従って、UEへ参照信号を送るように構成される。
【０１４２】
各アンテナポートは、1つの参照信号に関係付けられるまたは対応し、そして各アンテナポートが参照信号によって一意的に識別されることに留意すべきである。参照信号サブフレームは、参照信号を送るためのサブフレームを呼ぶ。
【０１４３】
具体的には、第1の送信側ユニット81は、上位レイヤシグナリングもしくはダイナミックシグナリングを使用することによってUEへ参照信号のリソース構成情報を送るように、またはセル識別子に基づいて、UEへ参照信号のリソース構成情報を送るように構成される。
【０１４４】
アンテナポート構成によって指示される情報は、アンテナポートの全数Nであることができ、ここで、Nはnの倍数である。このケースでは、アンテナポート構成によって指示されるアンテナポート構造は、パラメータN/nおよびパラメータnを使用することによって決定される。アンテナポートパラメータnは、予め決められてもよく、UEおよび基地局によって知られている。加えて、アンテナポートパラメータnは、同報通信することまたはマルチキャストすることによってUEへやはり通知されてもよい。アンテナポート構造パラメータnは、UEに固有のパラメータであってもよい、またはセルに固有のパラメータであってもよい。
【０１４５】
あるいは、アンテナポート構成によって指示される情報は、パラメータmおよびパラメータnである。このケースでは、アンテナポート構成によって指示されるアンテナポート構造は、パラメータmおよびパラメータnを使用することによって決定され、例えば、アンテナポート構造は、m行およびn列を有するアンテナアレイである。
【０１４６】
参照信号サブフレーム構成によって指示される情報は、サブフレーム期間およびサブフレームオフセットを含むことができ、ここでは、サブフレームオフセットは、サブフレーム期間において参照信号を送るための1つまたは複数のサブフレーム位置を指示する。サブフレーム位置は、1つのサブフレーム期間内に均等に分散されるまたは等しい長さの方式で分散されることが可能であり、そしてサブフレーム位置は、要求に従って、別の構成への干渉を回避するように、1つのサブフレーム期間内に不均等に分散されるようにやはり構成されることが可能である。さらに、参照信号サブフレーム間の間隔は、5、10、20、40、または80サブフレームの整数倍である。
【０１４７】
参照信号は、各参照信号サブフレームにおいて1つまたは複数のアンテナポートグループ上で送られ、ここでは、各アンテナポートグループは、連続したインデックスを有するn個のアンテナポートを含み、nはアンテナポート構造パラメータである。
【０１４８】
連続したインデックスを有するn個のアンテナポートは、アンテナアレイ構造またはアンテナポート構造内の水平方向のアンテナポートの1列に対応することができ、既存のLTE R8からR11システムは、アンテナアレイ構造またはアンテナポート構造内の水平方向のアンテナポートのその列を使用することができる、すなわち、既存のLTE R8からR11システムのアンテナポートまたは参照信号は、AAS基地局で構成されたLTE R12および将来のシステムのサブセットであることが可能である。既存のLTE R8からR11システムは、水平方向に展開されたアンテナアレイ用に主に設計されており、したがって、連続したインデックスを有するn個のアンテナポートは、既存のシステムと互換的であることができ、既存のシステムのUEが正常なアクセスおよび通信を実行できることを確実にしている。
【０１４９】
各参照信号サブフレーム内の参照信号によって占められている物理リソース(各PRB内のREなど)の位置は、予め決められることが可能であり、UEおよび基地局またはeNBにより知られている。
【０１５０】
加えて、参照信号のリソース構成情報は、参照信号構成に関する情報をさらに含むことができ、ここでは、参照信号構成は、参照信号が本明細書においては限定されていない参照信号サブフレーム期間内の各参照信号サブフレームにおいて送られるときに、各アンテナポートによって使用される、各PRB内の参照信号によって使用されるREなどの、物理リソースを指示することができる。
【０１５１】
参照信号サブフレーム期間内の各参照信号サブフレームにおける参照信号構成は、同じであってもよい。例えば、参照信号サブフレーム期間内の1つの参照信号サブフレームにおいて連続したインデックスを有するn個のアンテナポートによって使用される参照信号および参照信号サブフレーム期間内の別の参照信号サブフレームにおいて連続したインデックスを有するn個のアンテナポートによって使用される参照信号は、物理リソース素子REの同じ位置を占める。
【０１５２】
各参照信号サブフレーム内の異なる物理リソースブロックPRB上の、参照信号構成によって指示されているREは、各PRB内の同じ位置を有することができる、または各PRB内の異なる位置を有することができることに留意すべきである。各PRB内の、参照信号構成に対応するREの位置は、既存のLTE-R10のCSI RSによって使用されるREまたは符号リソースの位置を使用することができ、詳細は本明細書では再び与えられない。
【０１５３】
加えて、参照信号のリソース構成情報がUEへ送られる前に、基地局は、UEの能力に従ってUEについての参照信号のリソース構成を決定する、例えば、いくつかのUEが8個のアンテナポートを処理することができるだけである能力を有することがさらに含まれてもよいことに、さらに留意すべきである。加えて、基地局は、取り扱っているセル内のUEの数に従って、異なるUEが異なるアンテナポートグループまたはアンテナポートサブセットを使用することにさらに配慮することができる。
【０１５４】
本発明のこの実施形態では、参照信号は、参照信号のリソース構成情報に従って送信され、UEは、アンテナポートアレイ構造に関する情報を通知されることが可能であり、参照信号は、構造パラメータに基づいて参照信号サブフレームにおいて1つまたは複数のn-ポートアンテナポートグループ上で送られ、ここでは、各アンテナポートグループ内に含まれるアンテナポートのインデックスは、チャネル状態情報についての測定または信号受信品質についての測定をUEが実施する際に容易にするように連続していることがわかる。この解決策では、参照信号を送ることは、アンテナアレイ構造およびより多くのアンテナポート数構成に適応することが可能であり、セル選択またはMCS選択およびスケジューリングのために使用され、これによって、システムスループットを向上させる。加えて、アンテナポートの連続したインデックスは、システムの下位互換性要求を満足させることが可能である。
【０１５５】
図9は、本発明の実施形態に従ったユーザ機器90を示す。ユーザ機器90は、トランシーバ91およびプロセッサ92を含み、ここでは、トランシーバ91は、プロセッサ92の制御の下で基地局から参照信号のリソース構成情報を受信するように構成され、参照信号のリソース構成情報は、アンテナポート構成および参照信号サブフレーム構成に関する情報を含み、アンテナポート構成は、アンテナポート構造を指示し、参照信号サブフレーム構成は、1つまたは複数のアンテナポートグループ上で参照信号を送るための参照信号サブフレームを指示し、各アンテナポートグループは、連続したインデックスを有するn個のアンテナポートを含み、ここでは、nは、アンテナポート構造パラメータであり、参照信号の受信したリソース構成情報に従って基地局から参照信号を受信するようにさらに構成される。
【０１５６】
本発明のこの実施形態では、アンテナポートアレイ構造は、参照信号のリソース構成情報に基づいて入手されることが可能であり、1つまたは複数のn-ポートアンテナポートグループ上で送られる参照信号が、構造パラメータに基づいて参照信号サブフレームにおいて受信され、ここでは、各アンテナポートグループ内に含まれるアンテナポートのインデックスが、チャネル状態情報についての測定または信号受信品質についての測定をUEが実施する際に容易にするように連続していることがわかる。この解決策では、参照信号を送ることは、アンテナアレイ構造およびより多くのアンテナポート数構成に適応することが可能であり、セル選択またはMCS選択およびスケジューリングのために使用され、これによって、システムスループットを向上させ、システムの下位互換性要求を満足させる。
【０１５７】
図10は、本発明の実施形態に従った基地局100を示す。基地局100は、プロセッサ101および送信機102を含む。プロセッサ101は、参照信号のリソース構成情報を決定するように構成され、ここでは、参照信号のリソース構成情報は、アンテナポート構成および参照信号サブフレーム構成に関する情報を含み、アンテナポート構成は、アンテナポート構造を指示し、参照信号サブフレーム構成は、1つまたは複数のアンテナポートグループ上で参照信号を送るための参照信号サブフレームを指示し、各アンテナポートグループは、連続したインデックスを有するn個のアンテナポートを含み、ここで、nはアンテナポート構造パラメータである。送信機102は、UEへ参照信号のリソース構成情報および参照信号を送るように構成される。
【０１５８】
本発明のこの実施形態では、参照信号は、参照信号のリソース構成情報に従って送信され、アンテナポートアレイ構造が指示されることが可能であり、参照信号は、構造パラメータに基づいて参照信号サブフレームにおいて1つまたは複数のn-ポートアンテナポートグループ上で送られ、ここでは、各アンテナポートグループ内に含まれるアンテナポートのインデックスが、チャネル状態情報についての測定または信号受信品質についての測定をUEが実施する際に容易にするように連続していることがわかる。この解決策では、参照信号を送ることは、アンテナアレイ構造およびより多くのアンテナポート数構成に適応することが可能であり、セル選択またはMCS選択およびスケジューリングのために使用され、これによって、システムスループットを向上させ、システムの下位互換性要求を満足させる。
【０１５９】
本発明の各請求項において記述する解決策は、実施形態としてやはり考えられるべきであり、特許請求の範囲の特徴は、組み合わせられることが可能であり、例えば、本発明の決定するステップの後の異なる分岐において実行されるステップが、異なる実施形態として使用されることが可能であることを、理解すべきである。
【０１６０】
この明細書において開示した実施形態において説明した例と組み合わせて、ユニットおよびアルゴリズムステップが、電子式ハードウェアまたはコンピュータソフトウェアと電子式ハードウェアとの組合せによって実装されることが可能であることを、当業者なら気付くことができる。機能がハードウェアまたはソフトウェアによって実行されるかどうかは、技術的な解決策の個々の用途および設計制約条件に依存する。当業者は、各個々の用途のために説明した機能を実施するために異なる方法を使用することができるが、実装形態が本発明の範囲を超えるとは考えるべきではない。
【０１６１】
利便性および簡潔な説明の目的で、前述のシステム、装置、およびユニットの詳細な作業プロセスのために、前述の方法実施形態における対応するプロセスへの言及が行われてもよく、詳細が本明細書では再び与えられないことが、当業者により明確に理解され得る。
【０１６２】
この出願において提供されるいくつかの実施形態では、開示したシステム、装置、および方法は、他の方式で実装されてもよいことが理解されるはずである。例えば、説明した装置実施形態は、単に例示である。例えば、ユニット分割は、単に論理機能分割であり、実際の実装形態では他の分割であってもよい。例えば、複数のユニットまたは構成要素は、別のシステムへと組み合わせられるもしくは統合されてもよく、またはいくつかの特徴が無視されるまたは実行されなくてもよい。加えて、表示したまたは検討した相互カップリングまたは直接カップリングまたは通信接続は、いくつかのインターフェースを使用することによって実装されてもよい。装置またはユニット間の間接カップリングまたは通信接続は、電子的に、機械的に、または他の形態で実施されてもよい。
【０１６３】
別々の部品として説明したユニットは、物理的に分離されても、分離されなくてもよく、ユニットとして表示された部品は、物理的なユニットであっても、なくてもよく、1つの位置に設置されてもよく、または複数のネットワークユニット上に分散されてもよい。ユニットのいくつかまたはすべてが、実施形態の解決策の目的を実現するために実際の必要性に従って選択されてもよい。
【０１６４】
加えて、本発明の実施形態の機能ユニットは、1つの処理ユニットへと統合されてもよく、またはユニットの各々が物理的に単独で存在してもよく、または2つ以上のユニットが1つのユニットへと統合される。
【０１６５】
機能が、ソフトウェア機能ユニットの形態で実装され、別個の製品として販売されるまたは使用されるときには、機能は、コンピュータ可読記憶媒体に記憶されてもよい。このような理解に基づいて、本質的な本発明の技術的な解決策、または従来技術に寄与する部分、または技術的な解決策のいくつかは、ソフトウェア製品の形態で実装されてもよい。コンピュータソフトウェア製品は、記憶媒体に記憶され、本発明の実施形態において説明した方法のステップのすべてまたはいくつかを実行するためにコンピュータ装置(これは、パーソナルコンピュータ、サーバ、またはネットワーク装置であってもよい)を命令するためのいくつかの命令を含む。前述の記憶媒体は、USBフラッシュドライブ、脱着可能なハードディスク、読出し専用メモリ(ROM、Read-Only Memory)、ランダムアクセスメモリ(RAM、Random Access Memory)、磁気ディスク、または光ディスクなどの、プログラムコードを記憶することができる任意の媒体を含む。
【０１６６】
前述の説明は、本発明の単に特定の実装方式であるが、本発明の保護の範囲を限定するものではない。本発明に開示した技術的な範囲内の当業者なら容易に思いつくいずれかの変形形態または置換形態は、本発明の保護の範囲内になるであろう。したがって、本発明の保護の範囲は、特許請求の範囲の保護の範囲の対象とする。
【符号の説明】
【０１６７】
70  装置
71  第1の受信側ユニット
72  第2の受信側ユニット
80  装置
81  第1の送信側ユニット
82  第2の送信側ユニット
90  ユーザ機器
91  トランシーバ
92  プロセッサ
100  基地局
101  プロセッサ
102  送信機
【図１】
2016515777.tif 000004
【図２】
2016515777.tif 000005
【図３】
2016515777.tif 000006
【図４】
2016515777.tif 000007
【図５】
2016515777.tif 000008
【図６】
2016515777.tif 000009
【図７】
2016515777.tif 000010
【図８】
2016515777.tif 000011
【図９】
2016515777.tif 000012
【図１０】
2016515777.tif 000013
【手続補正書】
【提出日】平成27年11月12日(2015.11.12)
【手続補正１】
【補正対象書類名】特許請求の範囲
【補正対象項目名】全文
【補正方法】変更
【補正の内容】
【特許請求の範囲】
【請求項１】
参照信号を受信するための方法であって、
参照信号のリソース構成情報を受信するステップであり、前記参照信号の前記リソース構成情報がアンテナポート構成および参照信号サブフレーム構成に関する情報を含み、前記アンテナポート構成がアンテナポート構造を指示し、前記参照信号サブフレーム構成が1つまたは複数のアンテナポートグループ上で前記参照信号を送るための参照信号サブフレームを指示し、各アンテナポートグループが連続したインデックスを有するn個のアンテナポートを備え、ここで、nがアンテナポート構造パラメータである、受信するステップと、
前記参照信号の前記リソース構成情報に従って前記参照信号を受信するステップと
を含む、方法。
【請求項２】
前記アンテナポート構成によって指示される情報が、前記アンテナポートの全数Nであり、ここで、Nがnの倍数であり、nが予め決められた正の整数である、請求項1に記載の方法。
【請求項３】
前記アンテナポート構成によって指示される情報が、アンテナポート構造パラメータmおよび前記アンテナポート構造パラメータnである、または
前記アンテナポート構成によって指示される情報が、アンテナポート構造パラメータmおよび前記アンテナポート構造パラメータnについて実行されるジョイントコーディングである、
請求項1に記載の方法。
【請求項４】
前記参照信号サブフレーム構成によって指示される情報が、サブフレーム期間およびサブフレームオフセットを含み、前記サブフレームオフセットが、前記サブフレーム期間において前記参照信号を送るための1つまたは複数のサブフレーム位置を指示する、請求項1から3のいずれか一項に記載の方法。
【請求項５】
前記参照信号サブフレーム間の間隔が、5、10、20、40、または80サブフレームの整数倍である、請求項1から4のいずれか一項に記載の方法。
【請求項６】
前記参照信号の前記リソース構成情報が、参照信号構成に関する情報をさらに含み、前記参照信号構成は、前記参照信号が参照信号サブフレーム期間内の各参照信号サブフレームにおいて送られるときに、各アンテナポートによって使用される物理リソースを指示する、請求項1から5のいずれか一項に記載の方法。
【請求項７】
前記参照信号構成が、アンテナポートによって使用される異なるリソース素子を指示し、前記アンテナポートが、連続したインデックスを有し、前記参照信号サブフレーム期間内の異なる参照信号サブフレームにおいて前記参照信号を送るために使用される、請求項6に記載の方法。
【請求項８】
参照信号を送るための方法であって、
ユーザ機器へ参照信号のリソース構成情報を送るステップであり、前記参照信号の前記リソース構成情報がアンテナポート構成および参照信号サブフレーム構成に関する情報を含み、前記アンテナポート構成がアンテナポート構造を指示し、前記参照信号サブフレーム構成が1つまたは複数のアンテナポートグループ上で前記参照信号を送るための参照信号サブフレームを指示し、各アンテナポートグループが連続したインデックスを有するn個のアンテナポートを備え、ここで、nがアンテナポート構造パラメータである、送るステップと、
前記参照信号の前記リソース構成情報に従って前記ユーザ機器へ前記参照信号を送るステップと
を含む、方法。
【請求項９】
前記アンテナポート構成によって指示される情報が、前記アンテナポートの全数Nであり、ここで、Nがnの倍数であり、nが予め決められた正の整数である、請求項8に記載の方法。
【請求項１０】
前記アンテナポート構成によって指示される情報が、アンテナポート構造パラメータmおよび前記アンテナポート構造パラメータnである、または
前記アンテナポート構成によって指示される情報が、アンテナポート構造パラメータmおよび前記アンテナポート構造パラメータnについて実行されるジョイントコーディングである、
請求項8に記載の方法。
【請求項１１】
前記参照信号サブフレーム構成によって指示される情報が、サブフレーム期間およびサブフレームオフセットを含み、前記サブフレームオフセットが、前記サブフレーム期間において前記参照信号によって使用される1つまたは複数のサブフレーム位置を指示する、請求項8から10のいずれか一項に記載の方法。
【請求項１２】
前記参照信号サブフレーム間の間隔が、5、10、20、40、または80サブフレームの整数倍である、請求項8から11のいずれか一項に記載の方法。
【請求項１３】
前記参照信号の前記リソース構成情報が、参照信号構成に関する情報をさらに含み、前記参照信号構成は、前記参照信号が参照信号サブフレーム期間内の各参照信号サブフレームにおいて送られるときに、各アンテナポートによって使用される物理リソースを指示する、請求項8から12のいずれか一項に記載の方法。
【請求項１４】
前記参照信号構成が、アンテナポートによって使用される異なるリソース素子を指示し、前記アンテナポートが、連続したインデックスを有し、前記参照信号サブフレーム期間内の異なる参照信号サブフレームにおいて前記参照信号を送るために使用される、請求項13に記載の方法。
【請求項１５】
参照信号を受信するための装置であって、
参照信号のリソース構成情報を受信するように構成された第1の受信側ユニットであり、前記参照信号の前記リソース構成情報がアンテナポート構成および参照信号サブフレーム構成に関する情報を含み、前記アンテナポート構成がアンテナポート構造を指示し、前記参照信号サブフレーム構成が1つまたは複数のアンテナポートグループ上で前記参照信号を送るための参照信号サブフレームを指示し、各アンテナポートグループが連続したインデックスを有するn個のアンテナポートを備え、ここで、nがアンテナポート構造パラメータである、第1の受信側ユニットと、
前記第1の受信側ユニットによって受信される前記参照信号の前記リソース構成情報に従って、基地局によって送られる前記参照信号を受信するように構成された第2の受信側ユニットと
を備える、装置。
【請求項１６】
前記アンテナポート構成によって指示される情報が、前記アンテナポートの全数Nであり、ここで、Nがnの倍数であり、nが予め決められた正の整数である、請求項15に記載の装置。
【請求項１７】
前記アンテナポート構成によって指示される情報が、アンテナポート構造パラメータmおよび前記アンテナポート構造パラメータnである、または
前記アンテナポート構成によって指示される情報が、アンテナポート構造パラメータmおよび前記アンテナポート構造パラメータnについて実行されるジョイントコーディングである、
請求項15に記載の装置。
【請求項１８】
前記参照信号サブフレーム構成によって指示される情報が、サブフレーム期間およびサブフレームオフセットを含み、前記サブフレームオフセットが、前記サブフレーム期間において前記参照信号によって使用される1つまたは複数のサブフレーム位置を指示する、請求項15から17のいずれか一項に記載の装置。
【請求項１９】
前記参照信号サブフレーム間の間隔が、5、10、20、40、または80サブフレームの整数倍である、請求項15から18のいずれか一項に記載の装置。
【請求項２０】
前記参照信号の前記リソース構成情報が、参照信号構成に関する情報をさらに含み、前記参照信号構成は、前記参照信号が参照信号サブフレーム期間内の各参照信号サブフレームにおいて送られるときに、各アンテナポートによって使用される物理リソースを指示する、請求項15から19のいずれか一項に記載の装置。
【手続補正２】
【補正対象書類名】明細書
【補正対象項目名】００４１
【補正方法】変更
【補正の内容】
【００４１】
本発明の技術的な解決策は、移動体通信用グローバルシステム(GSM(登録商標)、Global System of Mobile communication)、符号分割多元接続(CDMA、Code Division Multiple Access)システム、広帯域符号分割多元接続(WCDMA(登録商標)、Wideband Code Division Multiple Access)、汎用パケット無線サービス(GPRS、General Packet Radio Service)、およびLTEなどの、様々な通信システムに適用されることが可能である。
【国際調査報告】
2016515777.tif 000014
2016515777.tif 000015
2016515777.tif 000016
2016515777.tif 000017